(57)【要約】【課題】本発明は、亀裂、破損の発生を抑制し、抵抗値調整が容易となるチップ抵抗器およびその製造方法を提供することを目的とするものである。【解決手段】本発明のチップ抵抗器の製造方法は、抵抗体１１の両端部に一対の電極１２を配置する工程と、前記抵抗体１１と前記一対の電極１２との間の一面に抵抗ペースト１５を塗布する工程と、前記抵抗ペースト１５を焼成する工程と、前記抵抗体１１と前記一対の電極１２との間の一面にレーザを照射して、前記抵抗体１１の両端部に前記一対の電極１２を溶接する工程とを備えた。【選択図】図３
2020098806.tif 000002
【特許請求の範囲】
【請求項１】
抵抗体と、前記抵抗体の両端に接続された一対の電極とを備え、前記抵抗体と前記一対の電極との接続領域の表面に、抵抗体層が存在するチップ抵抗器。
【請求項２】
前記抵抗体と前記電極との間の一部には、溶融された抵抗体膜が存在する請求項１に記載のチップ抵抗器。
【請求項３】
前記抵抗体膜と前記抵抗体層が一体物である請求項２記載のチップ抵抗器。
【請求項４】
前記抵抗体層は焼成体である請求項１に記載のチップ抵抗器。
【請求項５】
抵抗体の両端部に一対の電極を配置する工程と、前記抵抗体と前記一対の電極との間の一面に抵抗ペーストを塗布する工程と、前記抵抗ペーストを焼成する工程と、前記抵抗体と前記一対の電極との間の一面にレーザを照射して、前記抵抗体の両端部に前記一対の電極を溶接する工程とを備えたチップ抵抗器の製造方法。
【請求項６】
前記抵抗ペーストは導体粉末と樹脂との混合物である請求項５に記載のチップ抵抗器の製造方法。
【発明の詳細な説明】
【技術分野】
【０００１】
本発明は、各種電子機器に使用される金属板を抵抗体としたチップ抵抗器およびその製造方法に関する。
【背景技術】
【０００２】
従来のチップ抵抗器は、図４（ａ）に示すように、銅ニッケルで構成された抵抗体１の両端面に、銅で構成された一対の電極２を接続していた。このとき、抵抗体１と一対の電極２とは抵抗体１にレーザを照射することによって溶接されていた。その後、曲げ加工によって一対の電極２を下方に折り曲げ、さらに、適宜切欠部を形成し抵抗値調整を行っていた。
【０００３】
なお、この出願の発明に関する先行技術文献情報としては、例えば、特許文献１が知られている。
【先行技術文献】
【特許文献】
【０００４】
【特許文献１】特開２０１６−００４８８６号公報
【発明の概要】
【発明が解決しようとする課題】
【０００５】
上記従来のチップ抵抗器においては、図４（ｂ）に示すように、レーザによって抵抗体１の一部が溶融して、その部分に凹み（アンダーフィル）３が発生する可能性があった。
【０００６】
このアンダーフィルが生じると、曲げ加工時の応力によって亀裂、破損が発生したり、抵抗値が高くなって抵抗値調整が困難になったりする可能性があるという課題を有していた。
【０００７】
本発明は上記従来の課題を解決するもので、亀裂、破損の発生を抑制し、抵抗値調整が容易となるチップ抵抗器およびその製造方法を提供することを目的とする。
【課題を解決するための手段】
【０００８】
第１の態様に係るチップ抵抗器は、抵抗体と、前記抵抗体の両端に接続された一対の電極とを備え、前記抵抗体と前記一対の電極との接続領域の表面に、抵抗体層が存在する。
【０００９】
第２の態様に係るチップ抵抗器では、第１の態様において、前記抵抗体と前記電極との間の一部には、溶融された抵抗体膜が存在する。
【００１０】
第３の態様に係るチップ抵抗器では、第２の態様において、前記抵抗体膜と前記抵抗体層が一体物である。
【００１１】
第４の態様に係るチップ抵抗器では、第１の態様において、前記抵抗体層は焼成体である。
【００１２】
第５の態様に係るチップ抵抗器の製造方法は、抵抗体の両端部に一対の電極を配置する工程と、前記抵抗体と前記一対の電極との間の一面に抵抗ペーストを塗布する工程と、前記抵抗ペーストを焼成する工程と、前記抵抗体と前記一対の電極との間の一面にレーザを照射して、前記抵抗体の両端部に前記一対の電極を溶接する工程とを備えた。
【００１３】
第６の態様に係るチップ抵抗器の製造方法では、第５の態様において、前記抵抗ペーストは導体粉末と樹脂との混合物である。
【発明の効果】
【００１４】
本発明のチップ抵抗器の製造方法は、抵抗ペーストによって凹みの発生を抑制できるため、曲げ加工時の応力によって亀裂、破損が発生したり、抵抗値が高くなって抵抗値調整が困難になったりするのを抑えることができる。
【図面の簡単な説明】
【００１５】
【図１】本発明の一実施の形態におけるチップ抵抗器の断面図
【図２】同チップ抵抗器の他の例の断面図
【図３】同チップ抵抗器の製造方法を示す断面図
【図４】従来のチップ抵抗器の製造方法を示す断面図
【発明を実施するための形態】
【００１６】
図１は本開示の一実施の形態におけるチップ抵抗器の断面図である。
【００１７】
本開示の一実施の形態における抵抗器は、図１に示すように、銅ニッケルで構成された抵抗体１１の両端面と、銅で構成された一対の電極１２の端面とが突き合わせるように接続されている。また、一対の電極１２は下方に折り曲げられて、配線パターンに当接する実装部１３が形成されている。
【００１８】
上記構成において、前記抵抗体１１は、銅ニッケルで構成された金属板である。また、抵抗体１１は上面視にて矩形状になっている。
【００１９】
さらに、抵抗体１１には抵抗値を調整するために、抵抗体１１を貫通する切欠部（図示せず）が形成されている。
【００２０】
前記一対の電極１２は、抵抗体１１の長手方向（一対の電極１２間に流れる電流の向き（Ｘ方向））の両端面に設けられ、抵抗体１１とは別体の銅板で形成されている。
【００２１】
また、抵抗体１１の両端面と、一対の電極１２の端面とが突き合わせるように接合されている。なお、抵抗体１１の周囲に保護膜（図示せず）を形成してもよい。
【００２２】
さらに、抵抗体１１と一対の電極１２との界面の上面に銅の焼成体で構成された抵抗体層１４が形成されている。
【００２３】
そして、一対の電極１２は下方に折り曲げられて、配線パターンに当接する実装部１３が形成されている。実装部１３は抵抗体１１の下方に位置し、抵抗体１１の下面、配線パターンと略平行になっている。
【００２４】
なお、図２に示すように、一対の電極１２はコ字状に折り曲げてもよいし、あるいは、４端子としてもよい。
【００２５】
そしてさらに、一対の電極１２の実装部１３周囲にはめっき層（以下、図示せず）が施されており、これにより、チップ抵抗器は実装用基板に実装される。本明細書では、実装用基板がある側を下方としている。
【００２６】
以下、本開示の一実施の形態におけるチップ抵抗器の製造方法について図面を参照しながら説明する。
【００２７】
まず、図３（ａ）に示すように、圧延加工された抵抗体１１と一対の電極１２を、それぞれの端面を突き合わせる。
【００２８】
次に、図３（ｂ）に示すように、抵抗体１１と一対の電極１２との界面を覆うように、抵抗体１１、一対の電極１２の上面に抵抗ペースト１５を塗布する。抵抗ペースト１５としては、樹脂に導体粉末である銅を含有させたもの、あるいは酸化ルテニウムにガラス、樹脂を含有させたもの等を使用できる。
【００２９】
その後、３５０℃〜５００℃で抵抗ペースト１５を焼成する。このとき同時に、抵抗体１１、一対の電極１２の内部歪みが取り除かれる（アニール）。
【００３０】
次に、図３（ｃ）に示すように、抵抗ペースト１５に向けてレーザを照射し、これにより、抵抗体１１と一対の電極１２をレーザ溶接する。
【００３１】
この結果、図３（ｄ）に示すように、抵抗体１１と一対の電極１２との界面の上面に抵抗体層１４が形成される。
【００３２】
さらに、抵抗体１１と一対の電極１２との間の一部に、レーザ照射によって溶融した抵抗ペースト１５で構成される抵抗体膜が形成される場合がある。この場合、抵抗体層１４と抵抗体膜は同じ抵抗ペースト１５からなる。また、抵抗体膜によって抵抗体１１と一対の電極１２との接合強度が増す。
【００３３】
その後、図１、図２に示すように、一対の電極１２を下方に折り曲げ加工をする。このとき、アニールをすでに行っているため、銅の引張強さ、硬さが減少し、伸びは増大し、これにより、折り曲げ加工が容易である。さらに、抵抗体１１に切欠部を形成し、抵抗値を調整する。
【００３４】
なお、図３では、チップ抵抗器が１つのものについて説明したが、チップ抵抗器が複数形成されるシート状抵抗体を用い、ダイシングで個片状に分割して個々のチップ抵抗器が得られるようにしてもよい。
【００３５】
一実施の形態におけるチップ抵抗器の製造法は、抵抗ペースト１５がバリアの役割をすることによってレーザ照射による凹みの発生を抑制できるため、曲げ加工時の応力によって一対の電極１２に亀裂、破損が発生するのを抑えることができる。
【００３６】
また、凹部が無いため、抵抗体１１の厚みが薄くなって抵抗値が高くなってしまうのを防止することができる。さらに、抵抗体層１４によって抵抗値を低くすることができる。ここで、抵抗値が所定の抵抗値より高くなると、抵抗値調整が困難になる。
【００３７】
さらに、抵抗ペースト１５を焼成するのと同時に、アニールを行うことができる。
【産業上の利用可能性】
【００３８】
本発明に係るチップ抵抗器の製造方法は、亀裂、破損の発生を抑制し、抵抗値調整が容易となるという効果を有するものであり、特に各種電子機器に使用される金属板を抵抗体としたチップ抵抗器等に適用することにより有用となる。
【符号の説明】
【００３９】
１１  抵抗体
１２  一対の電極
１４  抵抗体層
１５  抵抗ペースト
【図１】
2020098806.tif 000003
【図２】
2020098806.tif 000004
【図３】
2020098806.tif 000005
【図４】
2020098806.tif 000006